(57)【要約】      （修正有）【課題】仮設住宅の屋根に簡単に装着でき、雨漏りを容易に防止することができると共に、屋根に溜まった雨水を効率よく地上に流して、雨水が室内に流れ込むことがない仮設住宅用屋根カバーを提供する。【解決手段】仮設住宅１の屋根１ａに装着され、この屋根１ａに添う形状とした天面部２ａの周囲に、仮設住宅１の側壁１ｂの上部に沿うようにした垂下部２ｂを形成した蓋体２からなるものとしている。また、仮設住宅１の屋根１ａに装着され、この屋根１ａに添う形状とした天面部２ａの周囲に、仮設住宅１の側壁１ｂの上部に沿うようにした垂下部２ｂを形成した蓋体２と、外側壁３ａより内側壁３ｂを高くした樋体３からなり、前記蓋体１の垂下部２ｂの内側と前記仮設住宅１の側壁１ｂとの間に、前記樋体３の内側壁３ｂの上部を挟み込んで、この樋体３を仮設住宅１の側壁１ａの上部に沿うようにして装着したものとしてもよい。【選択図】図１
2005155012.tif 000002
【特許請求の範囲】
【請求項１】
仮設住宅（１）の屋根（１ａ）に装着され、この屋根（１ａ）に添う形状とした天面部（２ａ）の周囲に、仮設住宅（１）の側壁（１ｂ）の上部に沿うようにした垂下部（２ｂ）を形成した蓋体（２）からなることを特徴とする仮設住宅用屋根カバー。
【請求項２】
仮設住宅（１）の屋根（１ａ）に装着され、この屋根（１ａ）に添う形状とした天面部（２ａ）の周囲に、仮設住宅（１）の側壁（１ｂ）の上部に沿うようにした垂下部（２ｂ）を形成した蓋体（２）と、外側壁（３ａ）より内側壁（３ｂ）を高くした樋体（３）からなり、前記蓋体（１）の垂下部（２ｂ）の内側と前記仮設住宅（１）の側壁（１ｂ）との間に、前記樋体（３）の内側壁（３ｂ）の上部を挟み込んで、この樋体（３）を仮設住宅（１）の側壁（１ａ）の上部に沿うようにして装着したことを特徴とする仮設住宅用屋根カバー。
【請求項３】
前記蓋体（２）の天面部（２ａ）を、遮熱機能を有したものとしたことを特徴とする請求項１または２記載の仮設住宅用屋根カバー。
【請求項４】
前記蓋体（２）の天面部（２ａ）を、光触媒機能を有したものとしたことを特徴とする請求項１または２記載の仮設住宅用屋根カバー。
【発明の詳細な説明】
【技術分野】
【０００１】
この発明は、建築工事現場等に設置される仮設住宅の屋根に被せておくためのカバーに関するものである。
【背景技術】
【０００２】
従来、建築作業現場等に設置される仮設住宅は、貨物輸送用の金属製コンテナを利用したものや、折り畳み式にしたものなどが存在する。
【０００３】
前記貨物輸送用の金属製コンテナを利用した仮設住宅は、例えば図３に示したように、貨物輸送用の金属製コンテナ１１の側板外側に留付け金具を介して外壁板１２を取付け、該側板内側には断熱材を介して内壁材を取付け、天板１３内側には断熱材を介して天井板を取付けたものとしている（特許文献１）。
【０００４】
前記折り畳み式にした仮設住宅は、例えば図４、５に示したように、床を形成する床体２１と、床体２１から起立して屋根２２を支持する柱体２３と、柱体２３を床体２１に対し、床体２１に沿って倒伏した状態と床体２１から起立した状態との間で揺動自在に支持する揺動支持手段２４と、柱体２３を起立させると柱体２３と係脱自在に係合し、柱体２３を起立した状態に仮固定する仮固定手段２５と、柱体２３を床体２１から起立した状態に本固定するボルトなどの本固定手段（図示せず）とを備えたものとしている（特許文献２）。
【０００５】
したがって、前述の仮設住宅は、断熱防音効果に優れ、冷暖房効率も非常に良好であったり、非常に簡単に組み立てることができるなどの効果を奏するものとなっている。
【特許文献１】特開平１０−２３８１４７号公報（第２頁、図１４）
【特許文献２】特開２００２−３８５９５号公報（第２頁、図８、１１）
【発明の開示】
【発明が解決しようとする課題】
【０００６】
しかしながら、上記従来の仮設住宅は、貨物輸送用の金属製コンテナを利用したものや、折り畳み式にしたものの何れにおいても、雨漏り対策がまったく施されていないため、繰り返しての使用や組み立て不良等によって、雨漏りが生じることがあるという問題点を有していた。
【０００７】
さらに、上記従来の仮設住宅は、屋根に溜まった雨水を効率よく地上に流すようにした樋等が装備されていないため、豪雨や強風を伴う雨の場合には、その屋根に溜まった雨水が室内に流れ込むことがあるという問題点を有していた。
【０００８】
そこで、この発明は、上記従来の問題点を解決することをその課題としており、仮設住宅の屋根に簡単に装着でき、雨漏りを容易に防止することができると共に、屋根に溜まった雨水を効率よく地上に流して、雨水が室内に流れ込むことがない仮設住宅用屋根カバーを提供することを目的としてなされたものである。
【課題を解決するための手段】
【０００９】
そのため、この発明の仮設住宅用屋根カバーは、仮設住宅１の屋根１ａに装着され、この屋根１ａに添う形状とした天面部２ａの周囲に、仮設住宅１の側壁１ｂの上部に沿うようにした垂下部２ｂを形成した蓋体２からなるものとしている。
【００１０】
また、この発明の仮設住宅用屋根カバーは、仮設住宅１の屋根１ａに装着され、この屋根１ａに添う形状とした天面部２ａの周囲に、仮設住宅１の側壁１ｂの上部に沿うようにした垂下部２ｂを形成した蓋体２と、外側壁３ａより内側壁３ｂを高くした樋体３からなり、前記蓋体１の垂下部２ｂの内側と前記仮設住宅１の側壁１ｂとの間に、前記樋体３の内側壁３ｂの上部を挟み込んで、この樋体３を仮設住宅１の側壁１ａの上部に沿うようにして装着したものとしている。
【００１１】
そして、この発明の仮設住宅用屋根カバーは、蓋体２の天面部２ａを、遮熱機能を有したものとすることができる。
【００１２】
さらに、この発明の仮設住宅用屋根カバーは、蓋体２の天面部２ａを、光触媒機能を有したものとすることができる。
【発明の効果】
【００１３】
この発明の仮設住宅用屋根カバーは、以上に述べたように構成されているので、仮設住宅の屋根に簡単に装着でき、雨漏りを容易に防止することができると共に、屋根に溜まった雨水を効率よく地上に流して、雨水が室内に流れ込むことがないものとなった。
【発明を実施するための最良の形態】
【００１４】
以下、この発明の仮設住宅用屋根カバーを実施するための最良の形態を、図面に基づいて詳細に説明する。
【００１５】
この発明の仮設住宅用屋根カバーは、図１に示したように、仮設住宅１の屋根１ａに着脱自在として装着され、この屋根１ａに添う形状とした天面部２ａの周囲に、仮設住宅１の側壁１ｂの上部に添うようにした垂下部２ｂを形成した蓋体２と、外側壁３ａより内側壁３ｂを高くした樋体３とからなるものとしている。なお、この発明の仮設住宅用屋根カバーは、仮設住宅１の屋根１ａに着脱自在として装着され、この屋根１ａに添う形状とした天面部２ａの周囲に、仮設住宅１の側壁１ｂの上部に添うようにした垂下部２ｂを形成した蓋体２のみからなるものとしてもよい。仮設住宅１は従来から存在する貨物輸送用の金属製コンテナを利用したものや、折り畳み式にしたものなど、どのようなものであってもよいが、その屋根１ａは平坦形状や山形状としたものが好ましい。そして、この発明の仮設住宅用屋根カバーは、図２に示したように、前記蓋体２の垂下部２ｂの内側と前記仮設住宅１の側壁１ａとの間に、前記樋体３の内側壁３ｂの上部を挟み込んで、ビスＢなどによって固定して、この樋体３を仮設住宅１の側壁１ａの上部に添うようにして装着している。
【００１６】
前記蓋体２は、合成樹脂製シートや合成樹脂製板などすることができ、折り畳み自在としたものとするのが、運搬時や保管時にコンパクトなものとなり好ましい。蓋体２を合成樹脂製板とした場合にも、例えば、適宜位置に弱め線を設けるなどして、その弱め線を設けた位置から折り畳めるようにすることができる。
【００１７】
さらに、前記蓋体２の天面部２ａは、遮熱機能を有したものとすることができる。遮熱機能を有したものとするには、蓋体２の天面部２ａに直にアルミを蒸着したり、中空のビーズ入りの塗料で塗装したものとしたり、アルミを蒸着したシートや中空のビーズ入りの塗料で塗装したシート（図示せず）を蓋体２の天面部２ａに被せたりすればよい。このようにすれば、前記蓋体２の天面部２ａは、太陽光を反射することができ、太陽熱を遮断することができる。したがって、仮設住宅における夏場の冷房電力が効果的に節約できるものとなる。
【００１８】
また、前記蓋体２の天面部２ａは、光触媒機能を有したものとすることができる。光触媒機能を有したものとするには、蓋体２の天面部２ａを直に酸化チタン入りの塗料で塗装したものとしたり、酸化チタン入りの塗料で塗装したシート（図示せず）を蓋体２の天面部２ａに被せたりすればよい。このようにすれば、蓋体２の天面部２ａに太陽光が照射することにより、天面部２ａに溜まった汚れが分解され、雨水などで洗い流され、汚れが付きにくいものとなる。さらに、太陽光の照射によって蓋体２の天面部２ａは超親水性となるので、この天面部２ａにわずかな水を流すだけで、水は薄く広がって天面部２ａを覆い効果的に気化熱を奪って温度を大幅に下げることができる。したがって、この光触媒によっても、仮設住宅における夏場の冷房電力が効果的に節約できるものとなる。
【００１９】
この発明の仮設住宅用屋根カバーは、以上に述べたように仮設住宅１の屋根１ａに装着されることにより、雨漏りを容易に防止することができると共に、屋根に溜まった雨水を効率よく地上に流して、雨水が室内に流れ込むことがないようにし、また雨水などによって汚れが洗い流されるものとなり、しかも仮設住宅における夏場の冷房電力が効果的に節約できるものとなるなど、多くの優れた効果を奏するものとなった。
【図面の簡単な説明】
【００２０】
【図１】この発明の仮設住宅用屋根カバーを仮設住宅の屋根に取り付ける前の状態を示す説明図である。
【図２】この発明の仮設住宅用屋根カバーを仮設住宅に取り付けた状態を示す一部省略断面図である。
【図３】従来の仮設住宅の一例を示す斜視図である。
【図４】従来の仮設住宅の他の例を示す斜視図である。
【図５】図４に示す従来の仮設住宅の組み立て状態を示す斜視図である。
【符号の説明】
【００２１】
１  仮設住宅
１ａ  屋根
１ｂ  側壁
２  蓋体
２ａ  天面部
２ｂ  垂下部
３  樋体
３ａ  外側壁
３ｂ  内側壁
【図１】
2005155012.tif 000003
【図２】
2005155012.tif 000004
【図３】
2005155012.tif 000005
【図４】
2005155012.tif 000006
【図５】
2005155012.tif 000007